(57)【要約】【課題】バックアップ用の電源でバックアップできない場合には、電源ＯＮの状態になった場合にバックアップデータが記録されているか否かを判定し、バックアップデータが記録されている場合にはそのことをユーザに通知できるようにすること。【解決手段】制御部が電源ＯＦＦの状態の場合に電圧検出部を介して電源の電圧を検出し、電源ＯＦＦの状態から電源ＯＮの状態となった場合に、記録部にバックアップデータが記録されているか否かを判定することで、記録部にバックアップデータが記録されていると判定した場合に、記録部にバックアップデータが記録されていることを示す情報を表示部に表示する。【選択図】図１
2018005800.tif 000002
【特許請求の範囲】
【請求項１】
バックアップデータを記録する記録部と、
前記記録部に電力を供給するための電源の電圧を検出する電圧検出部と、
ユーザへの通知情報を表示する表示部と、
ユーザによって電源をＯＮ／ＯＦＦを操作する操作部と、
前記電圧検出部を介して前記電源の電圧を検出し、前記記録部にバックアップデータが記録されているか否かを判定することができ、前記表示部へユーザへの通知情報を表示することができる制御部と、
を有し、
前記制御部が電源ＯＦＦの状態の場合に前記電圧検出部を介して前記電源の電圧を検出し、電源ＯＦＦの状態から電源ＯＮの状態となった場合に、前記記録部にバックアップデータが記録されているか否かを判定することで、前記記録部にバックアップデータが記録されていると判定した場合に、前記記録部にバックアップデータが記録されていることを示す情報を前記表示部に表示することを特徴とする電子機器。
【請求項２】
前記制御部が電源ＯＦＦの状態の場合に前記電圧検出部を介して前記電源の電圧を検出し、電源ＯＦＦの状態から電源ＯＮの状態となった場合に、前記記録部にバックアップデータが記録されているか否かを判定することで、前記記録部にバックアップデータが記録されていないと判定した場合に、前記記録部にバックアップデータが記録されていないことを示す情報を前記表示部に表示することを特徴とする請求項１に記載の電子機器。
【発明の詳細な説明】
【技術分野】
【０００１】
本発明は、バックアップ用の電源交換後にバックアップデータを消したいユーザがバックアップデータを消す必要があるか否かを判定することができる電子機器に関するものである。
【背景技術】
【０００２】
業務用カメラの多くはバックアップ用の電源として商用電源や電池といった主電源（以下「第一のバックアップ用の電源」と呼ぶ）とは別にもう一つの電源（以下「第二のバックアップ用の電源」と呼ぶ）を使用できる構成になっている。前記のような構成であれば、第一のバックアップ用の電源からの電力供給がない場合であっても、第二のバックアップ用の電源でバックアップデータのバックアップができる。
【０００３】
逆に第二のバックアップ用の電源からの電力供給がない場合であっても第一のバックアップ用の電源でバックアップデータのバックアップができる。ただし、第一のバックアップ用の電源、第二のバックアップ用の電源を交換して外す際に、同時に交換して外された状態や電池残量不足により、どちらからの電源からも電力供給できない場合は、バックアップができずバックアップデータが消えてしまう。
【０００４】
その対応として多くのメーカーは、ユーザには第二のバックアップ用の電源は交換をできないようにして、専門業者で交換を実施する。専門業者は交換する際に、第二のバックアップ用の電源を交換する際には第一のバックアップ用の電源からの電力供給が必ずある状態を維持し、第二のバックアップ用の電源からの電力供給がない場合であってもバックアップデータが消えないようにしている。しかし、このような対応は、ユーザにとっては専門業者に送る手間がかかるため、できればユーザ自身が交換できた方が望ましい。
【０００５】
そのため、ユーザ自身が第二のバックアップ用の電源を交換する場合でもバックアップデータが消えないような機能を備えた装置が広く普及している。
【０００６】
特許文献１には、バックアップ用の電源として使用している第一のバックアップ用の電源と第二のバックアップ用の電源で、第一のバックアップ用の電源が外されたことを判定する。判定した結果、第一のバックアップ用の電源が外されたと判定した場合に、第二のバックアップ用の電源でバックアップ可能な期間を通知し、その期間中に外した第二のバックアップ用の電源を交換すればバックアップデータが消えない技術が開示されている。
【先行技術文献】
【特許文献】
【０００７】
【特許文献１】特開２０００−３０１６７号公報
【発明の概要】
【発明が解決しようとする課題】
【０００８】
しかしながら、一方で第二のバックアップ用の電源が、外された状態や電池残量不足により電力供給できない状態をユーザが外見で分からない装置が多い。そのような装置は第一のバックアップ用の電源を交換した際にバックアップデータが消えてしまうかどうかを、ユーザは事前に知ることができない。そのため第二のバックアップ用の電源を交換後にバックアップデータを消したいユーザは、バックアップデータが消えているにもかかわらず、バックアップデータが消えていないと思い、無駄に消す操作を行ってしまう場合がある。
【０００９】
特許文献１では、第一のバックアップ用の電源および第二のバックアップ用の電源の内、第一のバックアップ用の電源が外されたことを判定し、第二のバックアップ用の電源でバックアップ可能な期間を通知することで解決している。
【００１０】
しかし、第一のバックアップ用の電源が外された状態に限定されるため、第一のバックアップ用の電源を交換後の第一のバックアップ用の電源が外されていない状態では、バックアップデータが記録されていることを通知しないということがあった。
【００１１】
そこで、本発明は、バックアップ用の電源でバックアップできない場合には、電源ＯＮの状態になった場合に記録部にバックアップデータが記録されているか否かを判定し、記録部にバックアップデータが記録されている場合にはそのことをユーザに通知できるようにすることを目的とする。
【課題を解決するための手段】
【００１２】
上記の目的を達成するために、本発明に係る電子機器は、
バックアップデータを記録する記録部と、前記記録部に電力を供給するための電源の電圧を検出する電圧検出部と、ユーザへの通知情報を表示する表示部と、ユーザによって電源をＯＮ／ＯＦＦを操作する操作部と、前記電圧検出部を介して前記電源の電圧を検出し、前記記録部にバックアップデータが記録されているか否かを判定することができ、前記表示部へユーザへの通知情報を表示することができる制御部とを有し、前記制御部が電源ＯＦＦの状態の場合に前記電圧検出部を介して前記電源の電圧を検出し、電源ＯＦＦの状態から電源ＯＮの状態となった場合に、前記記録部にバックアップデータが記録されているか否かを判定することで、前記記録部にバックアップデータが記録されていると判定した場合に、前記記録部にバックアップデータが記録されていることを示す情報を前記表示部に表示することを特徴とする。
【発明の効果】
【００１３】
本発明に係る電子機器によれば、バックアップ用の電源が外されたかどうかではなく、電源ＯＦＦの状態の場合にバックアップ用の電源の電圧を検出し、検出した電圧が所定値よりも低いか否かを判定することにより、バックアップ用の電源でバックアップができるか否かを判定することができる。
【００１４】
これにより、バックアップ用の電源でバックアップできない場合には、電源ＯＮの状態になった場合に記録部にバックアップデータが記録されているか否かを判定し、記録部にバックアップデータが記録されている場合にはそのことをユーザに通知することができる。そして、記録部に記録されているバックアップデータを消したいユーザは、バックアップ用の電源を交換した後にバックアップ用の電源が外されていない状態であっても、記録部に記録されているバックアップデータを消す必要があるか否かを判定することができる。
【図面の簡単な説明】
【００１５】
【図１】実施形態１における電子機器１００の構成を説明するためのブロック図である。
【図２】実施形態１における電子機器１００の動作を説明するためのフローチャートである。
【図３】実施形態２における電子機器１００の動作を説明するためのフローチャートである。
【図４】実施形態３における電子機器４００の構成を説明するためのブロック図である。
【図５】実施形態３における電子機器４００の動作を説明するためのフローチャートである。
【発明を実施するための形態】
【００１６】
以下、図面を参照して本発明の実施形態を説明する。ただし、本発明は以下の実施形態に限定されるものではない。
【００１７】
［実施形態１］
図１は実施形態１における電子機器１００の構成を説明するためのブロック図である。
【００１８】
電子機器１００は、第一の電源１０１、第一の電圧検出部１０２、第二の電源１０３、第二の電圧検出部１０４、電源切替部１０５、記録部１０６、表示部１０７、操作部１０８、制御部１０９を有する。電子機器１００は、バックアップ通知装置として動作する。
【００１９】
第一の電源１０１は、表示部１０７と電源切替部１０５を経由して記録部１０６および制御部１０９へ電力を供給することができる電源である。第一の電圧検出部１０２は、第一の電源１０１の電圧を検出し、検出した電圧の情報を制御部１０９へ送る。第二の電源１０３は、電源切替部１０５を経由して記録部１０６および制御部１０９へ電力を供給することができる電源である。
【００２０】
第二の電圧検出部１０４は、第二の電源１０３の電圧を検出し、検出した電圧の情報を制御部１０９へ送る。電源切替部１０５は、制御部１０９からの制御により、記録部１０６と制御部１０９への電力供給を、入力された複数の電源から１つを選択して切り替える。
【００２１】
記録部１０６は、バックアップデータとしてバックアップ装置のデータ（例えば、時計情報、モード設定、各制御パラメータ情報等）を記録できる。また、制御部１０９がバックアップ装置の各部の動作を制御するコンピュータプログラム、検出した第一の電源１０１、第二の電源１０３の電圧の情報と比較しバックアップできるか否かを判定するための所定値（例えば、２．２Ｖ）やパラメータ情報を記録する。
【００２２】
表示部１０７は、制御部１０９がバックアップデータが記録されているか否かを判定した結果を表示でき、バックアップ装置の他データの表示や対話的な操作のためのＧＵＩ（Ｇｒａｐｈｉｃａｌ  Ｕｓｅｒ  Ｉｎｔｅｒｆａｃｅ）表示などを行う。
【００２３】
操作部１０８は、ユーザインタフェースであり、メニューセレクトあるいはキースイッチ等、幾多のスイッチ群によって構成されている。ユーザからの信号を制御部１０９へ転送し、電子機器１００に電源のＯＮ／ＯＦＦを含む、各動作をさせる。
【００２４】
制御部１０９は、操作部１０８から転送された信号や記録部１０６に記録されているコンピュータプログラムを実行することによって、電源切替部１０５を含むバックアップ装置の各部の動作を制御し、各部の動作が実行されたか否かを判定することができる。また、第一の電圧検出部１０２と第二の電圧検出部１０４および記録部１０６からの情報を取得、演算処理することができ、検出した第一の電源１０１、第二の電源１０３の電圧の情報と所定値（例えば、２．２Ｖ）を比較してバックアップができるか否かを判定することができる。さらに取得、演算処理した情報を記録部１０６へ記録することができる。
【００２５】
次に、図２のフローチャートを参照し、実施形態１における電子機器１００の動作を説明する。
【００２６】
ステップ２０１において、制御部１０９は、操作部１０８から電源ＯＦＦの状態にする信号が転送される、または第一の電源１０１を外している状態で第一の電源１０１から必要な電力供給を受けられない場合に、電子機器１００を電源ＯＦＦの状態にする。その後、ステップ２０２に移行する。
【００２７】
ステップ２０２において、制御部１０９は、第一の電圧検出部１０２を介して第一の電源１０１の電圧Ｖ１を検出し、ステップ２０３に移行する。
【００２８】
ステップ２０３において、制御部１０９は、ステップ２０２で検出した電圧Ｖ１が所定値よりも低いか否かを判定する。ステップ２０２で検出した電圧Ｖ１が所定値よりも低いと判定した場合は、ステップ２０４に移行する。ステップ２０２で検出した電圧Ｖ１が所定値より低くないと判定した場合は、ステップ２０５に移行する。
【００２９】
ステップ２０４において、制御部１０９は、ステップ２０２で検出した電圧Ｖ１が所定値Ｘ１よりも低いことを示す情報Ａ１を記録部１０６に記録し、ステップ２０５に移行する。
【００３０】
ステップ２０５において、制御部１０９は、操作部１０８から受け取った電源ＯＮ信号（電子機器１００を電源ＯＮの状態にするための信号）に従って電子機器１００を電源ＯＮの状態にしたか否かを判定する。電子機器１００を電源ＯＮの状態にした場合は、ステップ２０６に移行する。電子機器１００を電源ＯＮの状態にしなかった場合は、ステップ２０２に移行する。
【００３１】
ステップ２０６において、制御部１０９は、情報Ａ１が記録部１０６に記録されているか否かを判定する。情報Ａ１は、ステップ２０２で検出した電圧Ｖ１が所定値Ｘ１よりも低いことを示す情報である。情報Ａ１が記録部１０６に記録されていると判定した場合は、ステップ２０７に移行する。情報Ａ１が記録部１０６に記録されていないと判定した場合は、ステップ２１０に移行する。
【００３２】
ステップ２０７において、制御部１０９は、記録部１０６にバックアップデータが記録されているか否かを判定し、記録部１０６にバックアップデータが記録されていると判定した場合は、ステップ２０８に移行する。記録部１０６にバックアップデータが記録されていないと判定した場合は、ステップ２１０に移行する。
【００３３】
ステップ２０８において、制御部１０９は、記録部１０６にバックアップデータが記録されていることを示す情報を表示部１０７に表示し、ステップ２０９に移行する。これにより、ユーザは、記録部１０６にバックアップデータが記録されていることを知ることができる。
【００３４】
ステップ２０９において、制御部１０９は、操作部１０８から受け取った信号に従い、記録部１０６に記録されているバックアップデータを消去するか否かを判定する。記録部１０６に記録されているバックアップデータを消去すると判定した場合は、ステップ２１１に移行する。記録部１０６に記録されているバックアップデータを消去しないと判定した場合は、ステップ２１０に移行する。
【００３５】
ステップ２１０において、制御部１０９は、操作部１０８から受け取った電源ＯＦＦ信号（電子機器１００を電源ＯＦＦの状態にするための信号）に従って電子機器１００を電源ＯＦＦの状態にするか否かを判定する。電子機器１００を電源ＯＦＦの状態にする場合は、ステップ２０１に移行する。電子機器１００を電源ＯＦＦの状態にしない場合は、ステップ２０７に移行する。
【００３６】
ステップ２１１において、制御部１０９は、記録部１０６に記録されているバックアップデータを消去し、ステップ２１０に移行する。
【００３７】
以上説明したように、実施形態１によれば、主電源として使用し、バックアップにも使用可能な第一の電源と、第一の電源がない場合にバックアップ専用の電源として機能する第二の電源を有し、第一の電源が外されたかどうかではなく、電源ＯＦＦの状態の場合に第一の電源の電圧を検出し、検出した電圧が所定値よりも低いか否かを判定することにより、第一の電源でバックアップができるか否かを判定することができる。
【００３８】
これにより、第一の電源でバックアップできない場合には、電源ＯＦＦの状態から電源ＯＮの状態になった場合に記録部１０６にバックアップデータが記録されているか否かを判定し、記録部１０６にバックアップデータが記録されている場合にはそのことをユーザに通知することができる。その結果、記録部１０６に記録されているバックアップデータを消したいユーザは、第一の電源を交換した後に第一の電源が外されていない状態であっても、記録部１０６に記録されているバックアップデータを消す必要があるか否かを判定することができる。
【００３９】
［実施形態２］
次に、実施形態２を説明する。実施形態２は、実施形態１と異なり、記録部１０６にバックアップデータが記録されていないことを示す情報を表示部１０７に表示することができる。
【００４０】
実施形態２における電子機器１００の構成は、実施形態１における電子機器１００の構成と同一であるため、その説明を省略する。
【００４１】
次に、図３のフローチャートを参照し、実施形態２における電子機器１００の動作を説明する。
【００４２】
図３のステップ２０１〜ステップ２０６及びステップ２１０で行われる処理は、図２のステップ２０１〜ステップ２０６及びステップ２１０で行われる処理と同様であるため、それらの説明を省略する。ただし、ステップ２０６において、ステップ２０２で検出した第一の電源１０１の電圧Ｖ１が所定値よりも低いことが記録部１０６に記録されていると判定した場合は、ステップ３０７に移行する。
【００４３】
ステップ３０７において、制御部１０９は、記録部１０６にバックアップデータが記録されているか否かを判定し、記録部１０６にバックアップデータが記録されていると判定した場合は、ステップ３０８に移行する。記録部１０６にバックアップデータが記録されていないと判定した場合は、ステップ３１２に移行する。
【００４４】
ステップ３０８において、制御部１０９は、記録部１０６にバックアップデータが記録されていることを示す情報を表示部１０７に表示し、ステップ３０９に移行する。これにより、ユーザは、記録部１０６にバックアップデータが記録されていることを知ることができる。
【００４５】
ステップ３０９において、制御部１０９は、操作部１０８から受け取った信号に従い、記録部１０６に記録されているバックアップデータを消去するか否かを判定する。記録部１０６に記録されているバックアップデータを消去すると判定した場合は、ステップ３１１に移行する。記録部１０６に記録されているバックアップデータを消去しないと判定した場合は、ステップ２１０に移行する。
【００４６】
ステップ３１１において、制御部１０９は、記録部１０６に記録されているバックアップデータを消去し、ステップ３１２に移行する。ステップ３１２において、制御部１０９は、記録部１０６にバックアップデータが記録されていないことを示す情報を表示部１０７に表示し、ステップ２１０に移行する。これにより、ユーザは、記録部１０６にバックアップデータが記録されていないことを知ることができる。
【００４７】
以上説明したように、実施形態２によれば、主電源として使用し、バックアップにも使用可能な第一の電源と、第一の電源がない場合にバックアップ専用の電源として機能する第二の電源を有し、第一の電源が外されたかどうかではなく、電源ＯＦＦの状態の場合に第二の電源の電圧を検出し、検出した電圧が所定値よりも低いか否かを判定することにより、第二の電源でバックアップができるか否かを判定することができる。
【００４８】
これにより、第二の電源でバックアップできない場合には、電源ＯＦＦの状態から電源ＯＮの状態になった場合に記録部１０６にバックアップデータが記録されているか否かを判定し、記録部１０６にバックアップデータが記録されていない場合にはそのことをユーザに通知することができる。その結果、記録部１０６に記録されているバックアップデータを消したいユーザは、第一の電源を交換した後に第一の電源が外されていない状態であっても、記録部１０６に記録されているバックアップデータを消す必要があるか否かを判定することができる。
【００４９】
［実施形態３］
図４は実施形態３における電子機器４００の構成を説明するためのブロック図である。
【００５０】
実施形態３における電子機器４００は、実施形態１における電子機器１００と異なり、第三の電源４０１と第三の電圧検出部４０２とを有する。電子機器４００も、電子機器１００と同様に、バックアップ通知装置として動作する。
【００５１】
実施形態３における電子機器４００の構成要素のうち、実施形態１における電子機器１００と同様の構成要素については、図１と同じ符号を付してその説明を省略する。ただし、実施形態３における電源切替部１０５は、実施形態１における電源切替部１０５と異なる処理を行う。
【００５２】
第三の電源４０１は、第三の電圧検出部４０２と電源切替部１０５を経由して記録部１０６および制御部１０９へ電力を供給することができる電源である。
第三の電圧検出部４０２は、第三の電源４０１の電圧を検出し、検出した電圧の情報を制御部１０９へ送る。
【００５３】
電源切替部１０５は、制御部１０９からの制御により、記録部１０６と制御部１０９への電力供給を第一の電源１０１、第二の電源１０３と第三の電源４０１で切り替える。
【００５４】
次に、図５のフローチャートを参照し、実施形態３における電子機器４００の動作を説明する。
【００５５】
ステップ５０１において、制御部１０９は、操作部１０８から電源ＯＦＦの状態にする信号が転送される、または第一の電源１０１を外している状態で第一の電源１０１から必要な電力供給を受けられない場合に、電子機器４００を電源ＯＦＦの状態にする。その後、ステップ５０２に移行する。
【００５６】
ステップ５０２において、制御部１０９は、第二の電圧検出部１０４を介して第二の電源１０３の電圧Ｖ２を検出し、ステップ５０３に移行する。
【００５７】
ステップ５０３において、制御部１０９は、ステップ５０２で検出した電圧Ｖ２が所定値よりも低いか否かを判定する。ステップ５０２で検出した電圧Ｖ２が所定値よりも低いと判定した場合は、ステップ５０４に移行する。ステップ５０２で検出した電圧Ｖ２が所定値より低くないと判定した場合は、ステップ５０５に移行する。
【００５８】
ステップ５０４において、制御部１０９は、ステップ５０２で検出した電圧Ｖ２が所定値Ｘ２よりも低いことを示す情報Ａ２を記録部１０６に記録し、ステップ５０５に移行する。
【００５９】
ステップ５０５において、制御部１０９は、操作部１０８から受け取った電源ＯＮ信号（電子機器４００を電源ＯＮの状態にするための信号）に従って電子機器４００を電源ＯＮの状態にしたか否かを判定する。電子機器４００を電源ＯＮの状態にした場合は、ステップ５０６に移行する。電子機器４００を電源ＯＮの状態にしなかった場合は、ステップ５０２に移行する。
【００６０】
ステップ５０６において、制御部１０９は、情報Ａ２が記録部１０６に記録されているか否かを判定する。情報Ａ２は、ステップ５０２で検出した電圧Ｖ２が所定値Ｘ２よりも低いことを示す情報である。情報Ａ２が記録部１０６に記録されていると判定した場合は、ステップ５０７に移行する。情報Ａ２が記録部１０６に記録されていないと判定した場合は、ステップ５１０に移行する。
【００６１】
ステップ５０７において、制御部１０９は、記録部１０６にバックアップデータが記録されているか否かを判定し、記録部１０６にバックアップデータが記録されていると判定した場合は、ステップ５０８に移行する。記録部１０６にバックアップデータが記録されていないと判定した場合は、ステップ５１０に移行する。
【００６２】
ステップ５０８において、制御部１０９は、記録部１０６にバックアップデータが記録されていることを示す情報を表示部１０７に表示し、ステップ５０９に移行する。これにより、ユーザは、記録部１０６にバックアップデータが記録されていることを知ることができる。
【００６３】
ステップ５０９において、制御部１０９は、操作部１０８から受け取った信号に従い、記録部１０６に記録されているバックアップデータを消去するか否かを判定する。記録部１０６に記録されているバックアップデータを消去すると判定した場合は、ステップ５１１に移行する。記録部１０６に記録されているバックアップデータを消去しないと判定した場合は、ステップ５１０に移行する。
【００６４】
ステップ５１０において、制御部１０９は、操作部１０８から受け取った電源ＯＦＦ信号（電子機器４００を電源ＯＦＦの状態にするための信号）に従って電子機器４００を電源ＯＦＦの状態にするか否かを判定する。電子機器４００を電源ＯＦＦの状態にする場合は、ステップ５０１に移行する。電子機器４００を電源ＯＦＦの状態にしない場合は、ステップ５０７に移行する。
【００６５】
ステップ５１１において、制御部１０９は、記録部１０６に記録されているバックアップデータを消去し、ステップ５１０に移行する。
【００６６】
以上説明したように、実施形態３によれば、主電源として使用し、バックアップにも使用可能な第一の電源と、第一の電源がない場合にバックアップ専用の電源として機能する第二の電源と第三の電源を有し、第二の電源が外されたかどうかではなく、電源ＯＦＦの状態の場合に第二の電源の電圧を検出し、検出した電圧が所定値よりも低いか否かを判定することにより、第二の電源でバックアップができるか否かを判定することができる。
【００６７】
これにより、第二の電源でバックアップできない場合には、電源ＯＦＦの状態から電源ＯＮの状態になった場合に記録部１０６にバックアップデータが記録されているか否かを判定し、記録部１０６にバックアップデータが記録されていない場合にはそのことをユーザに通知することができる。
【００６８】
その結果、記録部１０６に記録されているバックアップ以外のバックアップ装置を動作させる電源がない場合でも、記録部１０６に記録されているバックアップデータを消したいユーザは、バックアップ用の電源を交換した後にバックアップ用の電源が外されていない状態であっても、記録部１０６に記録されているバックアップデータを消す必要があるか否かを判定することができる。
【００６９】
［実施形態４］
本発明の実施形態は、上述の実施形態に限られるものではない。例えば、電源切替部１０５は、第一の電圧検出部１０２、第二の電圧検出部１０４及び第三の電圧検出部４０２の各電圧検出部で検出した電圧から制御部１０９を介さずに直接入力された電源からの電力供給を切り替えるように構成してもよい。また、電源切替部１０５は、複数の切替ユニットから構成してもよい。
【００７０】
さらに、電源切替部１０５で切り替え可能な電源の数は、２つ（第二の電源１０３及び第一の電源１０１）又は３つ（第二の電源１０３、第一の電源１０１及び第三の電源４０１）に限定されるものではなく、４つ以上であってもよい。
【００７１】
［実施形態５］
実施形態１〜４で説明した様々な機能、処理及び方法は、パーソナルコンピュータ、マイクロコンピュータ、ＣＰＵ（Ｃｅｎｔｒａｌ  Ｐｒｏｃｅｓｓｉｎｇ  Ｕｎｉｔ）などがプログラムを用いて実現することもできる。以下、実施形態５では、パーソナルコンピュータ、マイクロコンピュータ、ＣＰＵなどを「コンピュータＸ」と呼ぶ。また、実施形態５では、コンピュータＸを制御するためのプログラムであって、実施形態１〜４で説明した様々な機能、処理及び方法を実現するためのプログラムを「プログラムＹ」と呼ぶ。
【００７２】
実施形態１〜４で説明した様々な機能、処理及び方法は、コンピュータＸがプログラムＹを実行することによって実現される。この場合において、プログラムＹは、コンピュータ読み取り可能な記憶媒体を介してコンピュータＸに供給される。実施形態５におけるコンピュータ読み取り可能な記憶媒体は、ハードディスク装置、磁気記憶装置、光記憶装置、光磁気記憶装置、メモリカード、揮発性メモリ、不揮発性メモリなどの少なくとも一つを含む。実施形態５におけるコンピュータ読み取り可能な記憶媒体は、ｎｏｎ−ｔｒａｎｓｉｔｏｒｙな記憶媒体である。
【符号の説明】
【００７３】
１００  電子機器（バックアップ通知装置）、１０１  第一の電源、
１０２  第一の電圧検出部、１０３  第二の電源、１０４  第二の電圧検出部、
１０５  電源切替部、１０６  記録部、１０７  表示部、１０８  操作部、
１０９  制御部、４００  電子機器（バックアップ通知装置）、４０１  第三の電源、
４０２  第三の電圧検出部
【図１】
2018005800.tif 000003
【図２】
2018005800.tif 000004
【図３】
2018005800.tif 000005
【図４】
2018005800.tif 000006
【図５】
2018005800.tif 000007